(57)【要約】【課題】指定用紙への記入や出金金額の手計算等に要していた手間を削減し、釣銭補充金への両替作業を簡略化する。【解決手段】貨幣の金種別に釣銭補充用としてまとめられた１ブロック単位の金額または枚数を予め記憶する。貨幣の金種毎にブロック単位の補充数入力を受付ける。補充数が入力されると、その補充数と当該補充数の金種に対して記憶されている１ブロック単位の金額または枚数とから補充貨幣合計金額を算出する。入力された金種別補充数及び算出された補充貨幣合計金額の少なくとも一方をプリンタにより用紙に印刷して発行する。【選択図】      図９
2007233945.tif 000002
【特許請求の範囲】
【請求項１】
プリンタを備え、商品販売に係るデータ処理を行う商品販売データ処理装置において、
貨幣の金種別に釣銭補充用としてまとめられた１ブロック単位の金額または枚数を予め記憶する記憶手段と、
前記貨幣の金種毎にブロック単位の補充数入力を受付ける補充数入力受付手段と、
この補充数入力受付手段により補充数入力が受付けられている状態において、入力手段を介して金種別に補充数が入力されると、その補充数と当該補充数の金種に対して前記記憶手段により記憶されている１ブロック単位の金額または枚数とから補充貨幣合計金額を算出する演算手段と、
前記入力手段を介して入力された金種別補充数及び前記演算手段により算出された補充貨幣合計金額の少なくとも一方を前記プリンタにより用紙に印刷して発行する釣銭補充指示票発行手段と、
を具備したことを特徴とする商品販売データ処理装置。
【請求項２】
釣銭に相当する貨幣の払出しを行う釣銭機をデータ通信可能に接続する釣銭機接続手段と、
前記演算手段により算出された補充貨幣合計金額に相当する貨幣の払出データを前記釣銭機接続手段により接続された前記釣銭機に与える払出指令手段と、
をさらに具備したことを特徴とする請求項１記載の商品販売データ処理装置。
【請求項３】
金種別の補充数入力欄とこの補充数入力欄に入力された補充数に対する金種別の補充金額表示欄とを形成してなる釣銭補充画面を表示可能な表示手段を備え、
前記補充数入力受付手段は、補充数入力を受付ける間、前記表示手段に前記釣銭補充画面を表示させることを特徴とする請求項１記載の商品販売データ処理装置。
【請求項４】
金種別の補充数入力欄とこの補充数入力欄に入力された補充数に対する金種別の補充金額表示欄と前記釣銭機接続手段により接続された前記釣銭機に収容されている貨幣の金種別枚数表示欄とを形成してなる釣銭補充画面を表示可能な表示手段を備え、
前記補充数入力受付手段は、補充数入力を受付ける間、前記表示手段に前記釣銭補充画面を表示させることを特徴とする請求項２記載の商品販売データ処理装置。
【請求項５】
前記プリンタは、レシート用紙にデータを印字するレシートプリンタであり、
前記釣銭補充指示票発行手段は、前記レシート用紙を用いて釣銭補充指示票を発行することを特徴とする請求項１記載の商品販売データ処理装置。
【請求項６】
プリンタを接続し、商品販売に係るデータ処理を行うコンピュータに、
貨幣の金種別に釣銭補充用としてまとめられた１ブロック単位の金額または枚数を記憶手段に設定する設定機能と、
前記貨幣の金種毎にブロック単位の補充数入力を受付ける補充数入力受付機能と、
前記補充数の入力が受付けられている状態において、入力手段を介して金種別に補充数が入力されると、その補充数と当該補充数の金種に対して前記記憶手段に設定されている１ブロック単位の金額または枚数とから補充貨幣合計金額を算出する演算機能と、
前記入力手段を介して入力された金種別補充数及び算出された補充貨幣合計金額の少なくとも一方を前記プリンタにより用紙に印刷させる印刷制御機能と、
を実現させるためのプログラム。
【請求項７】
当該コンピュータに自動釣銭機が接続されているか否かを判断する判断機能と、
前記自動釣銭機が接続されている場合には、前記演算機能により算出された補充貨幣合計金額に相当する貨幣の払出データを前記自動釣銭機に供給する払出指令機能と、
をさらに実現させるための請求項６記載のプログラム。
【請求項８】
前記補充数入力受付機能は、前記自動釣銭機が接続されていない場合には、金種別の補充数入力欄とこの補充数入力欄に入力された補充数に対する金種別の補充金額表示欄とを形成してなる釣銭補充画面を表示手段に表示させ、前記自動釣銭機が接続されている場合には、前記金種別の補充数入力欄とこの補充数入力欄に入力された補充数に対する金種別の補充金額表示欄とに加えて前記自動釣銭機に収容されている貨幣の金種別枚数表示欄を形成してなる釣銭補充画面を表示手段に表示させるものである請求項７記載のプログラム。
【発明の詳細な説明】
【技術分野】
【０００１】
本発明は、電子式キャッシュレジスタ，ＰＯＳ（Point Of Sales）端末等の商品販売データ処理装置及びコンピュータ読取り可能なプログラムに関する。
【背景技術】
【０００２】
スーパーマーケット，コンビニエンスストア等の店の会計場所（レジ）には、コンピュータを主体として商品販売に係るデータ処理を行う商品販売データ処理装置、いわゆる電子式キャッシュレジスタやＰＯＳ端末等が設置されている。この種の商品販売データ処理装置には、通常、釣銭準備金を収納しておくためのドロワが設けられている。あるいは、釣銭を自動的に払い出す自動釣銭機が接続されている。
【０００３】
会計場所の店員、いわゆるキャッシャは、客の買上商品に関するデータを商品販売データ処理装置に入力する。そうすると、商品販売データ処理装置では、この客買上商品の販売データが処理される。そして、このデータ処理に基づいて客に請求する代金が自動的に算出されて表示部に表示される。そこで、キャッシャは代金の支払いを客に求め、客は代金の支払いを行う。
【０００４】
ここで、客が代金を現金で支払った場合には、キャッシャは、客からの預り金額を商品販売データ処理装置に入力する。そうすると、商品販売データ処理装置では、この預り金額と代金とから釣銭金額が算出されて表示部に表示される。そして、自動釣銭機が接続されていない場合にはドロワが開放動作する。自動釣銭機が接続されている場合には、自動釣銭機から釣銭金額に相当する貨幣が払い出される。そこでキャッシャは、自動釣銭機が接続されていない場合にはドロワ内から釣銭金額に相当する貨幣を揃えて客に渡す。また、客から預った貨幣をドロワ内に収納する。一方、自動釣銭機が接続されている場合には、キャッシャは自動釣銭機から払い出された貨幣を客に渡す。また、客から預かった貨幣を自動釣銭機に投入する。
【０００５】
したがって、ドロワ内あるいは自動釣銭機内の貨幣は、釣銭金額相当分が減少し、預り金額相当分が増加する。その結果、釣銭として使用される機会の多い比較的低額な硬貨や紙幣が不足しがちとなる。そこでキャッシャは、適時、ドロワ内や自動釣銭機内から預かり金として貯まった一万円札等を回収して店の管理事務所等に持って行き、釣銭準備金として不足がちの貨幣に両替をしてドロワ内または自動釣銭機内に戻すという作業を行っていた。
【０００６】
このような釣銭準備金補充作業を支援する装置として従来、次のような貨幣処理装置が知られていた。すなわち、係員によって装置の釣銭補充ボタンが押されると、装置の表示部に出金指定画面を表示させる。この出金指定画面には、一万円札，五千円札，千円札それぞれの出金可能枚数（在高）を表示する。ここで、係員によって画面上のいずれか一つの金種と出金可能枚数以下の払出枚数とが補充出金情報として指定されると、その指定金種の貨幣を指定枚数だけ出金させるとともに、指定金種，出金金額等が印刷された補充用出金ジャーナルを印字する。その後、出金した貨幣から両替された貨幣が係員によって投入されると、その投入された貨幣の金種別投入枚数を計数する。そして、係員によって確定ボタンが操作されると、入金金額各金種小計，入金金額合計等が印刷された補充用入金ジャーナルを印刷する（例えば、特許文献１参照）。
【特許文献１】特開２００１-０２３０４１号公報
【発明の開示】
【発明が解決しようとする課題】
【０００７】
しかしながら、従来の貨幣処理装置は、ドロワや自動釣銭機から両替のために出金する貨幣を指定するものであった。このため係員は、事前に指定用紙に補充が必要な金種とその数を記入して出金金額を手計算し、この出金金額に応じた貨幣を指定することによって対処せざるを得ず、指定用紙への記入や出金金額の手計算等に手間がかかるものであった。そしてこのような手間は、貨幣処理装置を用いない運用でも同様であった。
【０００８】
本発明はこのような事情に基づいてなされたものであり、その目的とするところは、指定用紙への記入や出金金額の手計算等に要していた手間を削減でき、釣銭補充金への両替作業を簡略化できるようにすることにある。
【課題を解決するための手段】
【０００９】
本発明は、プリンタ、例えばレシートプリンタを備え、商品販売に係るデータ処理を行う商品販売データ処理装置、例えば電子式キャッシュレジスタやＰＯＳ端末等において、貨幣の金種別に釣銭補充用としてまとめられた１ブロック単位の金額または枚数を予め記憶する記憶手段と、貨幣の金種毎にブロック単位の補充数入力を受付ける補充数入力受付手段と、この補充数入力受付手段により補充数入力が受付けられている状態において、入力手段を介して金種別に補充数が入力されると、その補充数と当該補充数の金種に対して記憶手段により記憶されている１ブロック単位の金額または枚数とから補充貨幣合計金額を算出する演算手段と、入力手段を介して入力された金種別補充数及び演算手段により算出された補充貨幣合計金額の少なくとも一方をプリンタにより用紙、例えばレシート用紙に印刷して発行する釣銭補充レシート発行手段とを備えたものである。
【００１０】
また本発明は、プリンタを接続し、商品販売に係るデータ処理を行うコンピュータに、貨幣の金種別に釣銭補充用としてまとめられた１ブロック単位の金額または枚数を記憶手段に設定する設定機能と、貨幣の金種毎にブロック単位の補充数入力を受付ける補充数入力受付機能と、補充数の入力が受付けられている状態において、入力手段を介して金種別に補充数が入力されると、その補充数と当該補充数の金種に対して記憶手段に設定されている１ブロック単位の金額または枚数とから補充貨幣合計金額を算出する演算機能と、入力手段を介して入力された金種別補充数及び算出された補充貨幣合計金額の少なくとも一方をプリンタにより用紙に印刷させる印刷制御機能とを実現させるためのプログラムにある。
【発明の効果】
【００１１】
かかる手段を講じた本発明によれば、指定用紙への記入や出金金額の手計算等に要していた手間を削減でき、釣銭補充金への両替作業を簡略化できる商品販売データ処理装置を提供できる。
【００１２】
また、商品販売に係るデータ処理を行うコンピュータを、指定用紙への記入や出金金額の手計算等に要していた手間を削減でき、釣銭補充金への両替作業を簡略化できる装置として機能させることができるプログラムを提供できる。
【発明を実施するための最良の形態】
【００１３】
以下、本発明を実施するための最良の形態について、図面を用いて説明する。  
なお、この実施の形態は、レシート・ジャーナルプリンタを備えたＰＯＳ端末に本発明を適用した場合である。
【００１４】
図１は本実施の形態におけるＰＯＳ端末の要部構成を示すブロック図である。このＰＯＳ端末は、コンピュータを主体に構成している。すなわち、その中枢部として各種のデータ処理を行うためのＣＰＵ（Central Processing Unit）１と、データや命令等を記憶するためのＲＯＭ（Read Only Memory）２及びＲＡＭ（Random Access Memory）３を搭載している。
【００１５】
また、ＰＯＳ端末は、現在の日付及び時刻を計時するＩＣチップからなる時計部４、ストアコンピュータ等の外部機器とネットワークを通じて行うデータ通信を司る通信インターフェイス５、モードスイッチ６からの信号入力と、ドロワ７への開放指令信号出力を行うＩ／Ｏ（Input/Output）ポート８、キーボード９から操作キーに対応したキー信号を取り込むキーボードコントローラ１０、オペレータ用表示器１１に対するデータ表示を制御する第１の表示コントローラ１２、客用表示器１３に対するデータ表示を制御する第２の表示コントローラ１４、レシート・ジャーナルプリンタ１５によるレシート印字及びジャーナル印字を制御するプリンタコントローラ１６、スキャナを電気的に接続可能なスキャナインターフェイス１７、自動釣銭機を電気的に接続可能な釣銭機接続手段としての釣銭機インターフェイス１８等を搭載している。そして、ＣＰＵ１と、ＲＯＭ２，ＲＡＭ３，時計部４及びＩ／Ｏポート８と、各コントローラ１０，１２，１４，１６と、各インターフェイス５，１７，１８とを、アドレスバス，データバス等のバスライン１９で接続している。
【００１６】
モードスイッチ６は、当該ＰＯＳ端末において実行可能な「登録」，「点検」，「精算」，「設定」等の各種業務モードのなかからＣＰＵ１に実行させる業務モードを選択し、その実行をＣＰＵ１に通知するためのスイッチである。因みに「登録」とは、客が買上げる商品のデータ入力を受付け、そのデータが入力されると、そのデータを基に客が買上げる商品の販売データを処理し、売上データをメモリに登録する業務である。「点検」とは、「登録」業務の実行によりメモリに登録された売上データを集計したデータを印字または表示出力する業務である。「精算」とは、「点検」業務と同様に売上データの集計データを出力した後、売上データをメモリからクリアする業務である。「設定」とは、各種業務を実行する上で必要なデータを予めメモリに設定する業務である。
【００１７】
ドロワ７は、釣銭準備金として用意された貨幣や客が支払った貨幣などを収容するためのもので、Ｉ／Ｏポート８からの開放指令信号により自動的に開放動作する。
【００１８】
キーボード９は、図２に示すように、「００」及び「０」〜「９」の数値データを置数するための置数キー２１の他、「Ｃ」のクリアキー２２、「×」の乗算キー２３、「責」のサインキー２４、取消キー２５、小計キー２６、預／現計キー２７、信計キー２８等の各種ファンクションキーを配設したものである。そして特に本実施の形態では、本発明に係る釣銭補充業務の実行を指令する手段として釣銭補充キー２９を上記キーボード９に設けている。
【００１９】
かかる構成のＰＯＳ端末は、モードスイッチ６により選択された業務モードの処理をＣＰＵ１に実行させるためのプログラムデータをＲＯＭ２に予め記憶している。また、売上データを登録するためのメモリエリア等のように、各種業務モードを実行する上で必要なメモリエリアをＲＡＭ３に形成している。
【００２０】
そして特に本実施の形態では、前記釣銭補充業務を実行する上で必要なメモリエリアとして、少なくとも図３に示すように、ドロワ内在高メモリ３１と、釣銭機残高メモリ３２と、釣銭補充テーブル３３とを形成している。
【００２１】
釣銭補充テーブル３３は、釣銭として取扱う貨幣の金種、すなわち１円硬貨，５円硬貨，１０円硬貨，５０円硬貨，１００円硬貨，５００円硬貨，５００円紙幣，１０００円紙幣及び５０００円紙幣の金種別に、単位金額，補充数，補充金額及残り枚数の各データを記憶するためのデータエリアと、補充貨幣の合計金額を記憶するためのデータエリアとを備えたものである。ここで単位金額とは、対応する金種の貨幣に関して釣銭補充用としてまとめられた１ブロック単位の金額である。通常、硬貨は、所定枚数（例えば５０枚）を重ねてまとめ、紙等で包んだ物いわゆる棒金が釣銭補充用の１ブロック（一塊）として用意されている。紙幣は、所定枚数（例えば１０枚）を束ねてまとめた物が釣銭補充用の１ブロック（一塊）として用意されている。したがって、硬貨の場合は、棒金１本にまとめられた硬貨の合計金額が１ブロック単位の金額となる。紙幣の場合は、１束にまとめられた紙幣の合計金額が１ブロック単位の金額となる。ここに、釣銭補充テーブル３３は記憶手段を構成する。
【００２２】
しかしてＰＯＳ端末は、モードスイッチ６により「登録」モードが選択されている状態において、釣銭補充キー２９が操作入力されると、ＲＯＭ２に記憶されたプログラムの制御により、ＣＰＵ１が図４の流れ図に示す手順の釣銭補充処理を実行するものとなっている。
【００２３】
すなわちＣＰＵ１は、この釣銭補充処理を開始すると、先ず、ＳＴ（ステップ）１として客が買上げる商品の登録中か否かを判断する。例えば、客買上商品の１品目の登録に応動してセットされ、締め操作がなされるとリセットされるフラグの状態により判断する。そして、登録中であると判断した場合には、釣銭補充キー２９の操作入力をエラーとしてこの釣銭補充処理を終了する。
【００２４】
ＳＴ１にて登録中でないと判断した場合には、ＣＰＵ１は、ＳＴ２として前記釣銭補充テーブル３３の金種別補充数エリア，補充金額エリア及び残り枚数エリアと、補充貨幣合計金額エリアとを“０”にクリアする。次に、ＣＰＵ１は、ＳＴ３として釣銭機インターフェイス１８に万券紙幣出金対応の自動釣銭機が接続されているか否かを判断する。例えば、釣銭機インターフェイス１８から万券紙幣出金対応の自動釣銭機のみ応答が可能な問合せ信号を送出し、この問合せに対して応答があった場合に万券紙幣出金対応の自動釣銭機が接続されていると判断する（判断機能）。
【００２５】
ここで、万券紙幣出金対応の自動釣銭機が接続されていないと判断した場合には、ＣＰＵ１は、ＳＴ４として表示手段としてのオペレータ用表示器１１に釣銭機未接続用の釣銭補充画面４０を表示させる（補充数入力受付手段：補充数入力受付機能）。
【００２６】
釣銭機未接続用釣銭補充画面４０の一構成例を図６の模式図にて示す。この釣銭補充画面４０には、釣銭として取扱われる貨幣の金種別に、補充数の入力欄４１と補充金額の表示欄４２とが形成されている。また、補充貨幣の合計金額表示欄４３が形成されている。この釣銭補充画面４０に対しては、キーボード９の特定キー、例えば小計キー２６を操作する毎に補充数入力欄４１が順番に選択され、置数キー２１の操作により数値データが入力されると、選択された補充数入力欄４１にその数値が補充数として入力される。
【００２７】
そこでＣＰＵ１は、ＳＴ５として金種別の補充数が入力されるのを待機する。そして、いずれかの金種の補充数が入力されたならば、ＣＰＵ１は、ＳＴ６としてその補充数を釣銭補充テーブル３３の当該金種に対応した補充数エリアにセットする。また、この補充数と当該金種の単位金額とを乗算して補充金額を算出し、この補充金額を釣銭補充テーブル３３の当該金種に対応した補充金額エリアにセットする。さらに、各金種の補充金額エリアにセットされた補充金額を合計し、その合計金額Ａを釣銭補充テーブル３３の補充貨幣合計金額エリアにセットする（演算手段：演算機能）。
【００２８】
次に、ＣＰＵ１は、ＳＴ７として合計金額Ａをドロワ内在高メモリ３１のデータと比較する。ここで、ドロワ内在高メモリ３１には、ドロワ７に現時点で収容されている貨幣の理論上の合計金額いわゆるドロワ内在高が記憶されている。なお、ドロワ内在高をリアルタイムに算出して記憶管理する機能は、従来周知のＰＯＳ端末で既に採用されている技術なので、ここでの説明は省略する。
【００２９】
ＳＴ７にて合計金額Ａがドロワ内在高以下の場合には、ＣＰＵ１は、ＳＴ８として釣銭補充テーブル３３のデータに基づき釣銭補充画面４０を更新する。更新後の釣銭補充画面４０の一表示例を図７に示す。これに対し、合計金額Ａがドロワ内在高を越える場合には、ＣＰＵ１は、ＳＴ９として直前の補充数入力を無効にし、釣銭補充テーブル３３を入力前の状態に戻すためのエラー処理を行う。
【００３０】
その後、ＣＰＵ１は、次の金種別補充数が入力されるのを待機する。そして、金種別補充数が入力されたことを検知した場合には、ＣＰＵ１は、前記ＳＴ６，７，８またはＳＴ６，７，９の各処理を行う。
【００３１】
一方、この金種別補充数の入力待機状態において、ＳＴ１０として預／現計キー２７が操作入力されたことを検知すると、釣銭補充処理の終了が宣言されたので、ＣＰＵ１は、ＳＴ１１としてオペレータ用表示器１１の釣銭補充画面４０を消去する。次いで、ＳＴ１２として釣銭補充テーブル３３における合計金額エリア内のデータＡが“０”であるか否かを判断する。
【００３２】
ここで、データが“０”より大きい場合には、金種別補充数が入力されているので、ＣＰＵ１は、ＳＴ１３として釣銭補充テーブル３３に記憶された金種別補充数及び金種別補充金額の各データと、補充貨幣合計金額データとを少なくとも含んだ釣銭補充レシートの印字データを編集する。そして、この印字データをレシート・ジャーナルプリンタ１５に出力して、レシート用紙及びジャーナル用紙に印刷させ（印刷制御機能）、レシート用紙を釣銭補充指示票６０（図９を参照）として発行する（釣銭補充指示票発行手段）。しかる後、ＳＴ１４として開放指令信号をドロワ７に出力して、ドロワ７を開放動作させたならば、この釣銭補充処理を終了する。
【００３３】
なお、ＳＴ１２にて釣銭補充テーブル３３における合計金額エリア内のデータＡが“０”であった場合には、金種別補充数が入力されることなく釣銭補充処理の終了が宣言されたので、ＳＴ１３，１４の処理を行うことなく、この釣銭補充処理を終了する。
【００３４】
一方、ＳＴ３にて万券紙幣出金対応の自動釣銭機が接続されていると判断した場合には、図５の流れ図に示す処理に進む。すなわちＣＰＵ１は、ＳＴ２１として当該自動釣銭機から現時点の残高データと金種別の残り枚数データを取得する。そして、残高データを釣銭機残高メモリ３２に書き込むとともに、金種別残り枚数データを釣銭補充テーブル３３の該当する金種別残り枚数エリアに格納する。
【００３５】
なお、万券紙幣出金対応の自動釣銭機は、貨幣投入口から投入された貨幣を金庫まで搬送する経路の途中で貨幣１枚ごとに金種を選別し、金庫内に金種別に収容する入金動作と、ＰＯＳ端末から入力される釣銭金額相当の金銭払出データに応じてその釣銭金額に相当する貨幣を金庫から送り出して貨幣払出口へ払出す出金動作とを行うもので、入金データと出金データとに基づいて、金庫内に収容されている貨幣の金種別枚数（金種別残り枚数データ）と、その貨幣の総額（残高データ）とを管理できるものである。このような自動釣銭機は、既に市販されている。
【００３６】
次に、ＣＰＵ１は、ＳＴ２２として表示手段としてのオペレータ用表示器１１に釣銭機接続用の釣銭補充画面５０を表示させる（補充数入力受付手段：補充数入力受付機能）。
【００３７】
釣銭機接続用釣銭補充画面５０の一構成例を図８の模式図にて示す。この釣銭補充画面５０には、前記釣銭機未接続用釣銭補充画面４０と同様に、釣銭として取扱われる貨幣の金種別に、補充数の入力欄５１と補充金額の表示欄５２とが形成されている。また、補充貨幣の合計金額表示欄５３が形成されている。さらに、金種別の釣銭機残り枚数５４も表示されている。この釣銭補充画面５０に対しても、キーボード９の特定キー、例えば小計キー２６を操作する毎に補充数入力欄５１が順番に選択され、置数キー２１の操作により数値データが入力されると、選択された補充数入力欄５１にその数値が補充数として入力される。
【００３８】
そこでＣＰＵ１は、ＳＴ２３として金種別の補充数が入力されるのを待機する。そして、いずれかの金種の補充数が入力されたならば、ＣＰＵ１は、ＳＴ２４としてその補充数を釣銭補充テーブル３３の当該金種に対応した補充数エリアにセットする。また、この補充数と当該金種の単位金額とを乗算して補充金額を算出し、この補充金額を釣銭補充テーブル３３の当該金種に対応した補充金額エリアにセットする。さらに、各金種の補充金額エリアにセットされた補充金額を合計し、その合計金額Ａを釣銭補充テーブル３３の補充貨幣合計金額エリアにセットする（演算手段：演算機能）。
【００３９】
次に、ＣＰＵ１は、ＳＴ２５としてドロワ内在高メモリ３１に記憶されている在高データと釣銭機残高メモリ３２に格納された残高データとを合算して上限金額を算出する。そして、補充貨幣合計金額エリア内の合計金額Ａが前記上限金額を超えるか否かを判断する。
【００４０】
ここで、合計金額Ａが上限金額以下の場合には、ＣＰＵ１は、ＳＴ２６として釣銭補充テーブル３３のデータに基づき釣銭補充画面５０を更新する。これに対し、合計金額Ａが上限金額を越える場合には、ＣＰＵ１は、ＳＴ２７として直前の補充数入力を無効にし、釣銭補充テーブル３３を入力前の状態に戻すためのエラー処理を行う。
【００４１】
その後、ＣＰＵ１は、次の金種別補充数が入力されるのを待機する。そして、金種別補充数が入力されたことを検知した場合には、ＣＰＵ１は、前記ＳＴ２４，２５，２６またはＳＴ２４，２５，２７の各処理を行う。
【００４２】
一方、この金種別補充数の入力待機状態において、ＳＴ２８として預／現計キー２７が操作入力されたことを検知すると、釣銭補充処理の終了が宣言されたので、ＣＰＵ１は、ＳＴ２９としてオペレータ用表示器１１の釣銭補充画面５０を消去する。次いで、ＳＴ３０として釣銭補充テーブル３３における合計金額エリア内のデータＡが“０”であるか否かを判断する。
【００４３】
ここで、データが“０”より大きい場合には、金種別補充数が入力されているので、ＣＰＵ１は、ＳＴ３１として合計金額Ａが払出限度額以上か否かを判断する。払出限度額は、その一例として自動釣銭機に収容されている全万券の合計金額とする。ただし、合計金額が１０万円を越える場合は、１０万円とする。
【００４４】
ＳＴ３１にて合計金額Ａが払出限度額以下の場合には、ＣＰＵ１は、ＳＴ３２として釣銭機インターフェイス１８を介して自動釣銭機に合計金額Ａに相当する金銭払出データを送信する（払出指令手段）。これに対し、合計金額Ａが払出限度額を超える場合には、ＣＰＵ１は、ＳＴ３３として釣銭機インターフェイス１８を介して自動釣銭機に払出限度額に相当する金銭払出データを送信する（払出指令手段）。また、ＳＴ３４としてドロワ７に開放指令信号を出力して、ドロワ７を開放動作させる。
【００４５】
しかる後、ＣＰＵ１は、ＳＴ３５として釣銭補充テーブル３３に記憶された金種別補充数及び金種別補充金額の各データと、補充貨幣合計金額データとを少なくとも含んだ釣銭補充レシートの印字データを編集する。そして、この印字データをレシート・ジャーナルプリンタ１５に出力して、レシート用紙及びジャーナル用紙に印刷させ（印刷制御機能）、レシート用紙を釣銭補充指示票６０（図９を参照）として発行する（釣銭補充指示票発行手段）。以上で、この釣銭補充処理を終了する。
【００４６】
なお、ＳＴ３０にて釣銭補充テーブル３３における合計金額エリア内のデータＡが“０”であった場合には、金種別補充数が入力されることなく釣銭補充処理の終了が宣言されたので、ＳＴ３１〜ＳＴ３５の処理を行うことなく、この釣銭補充処理を終了する。
【００４７】
またＰＯＳ端末は、モードスイッチ６により「設定」モードが選択されている状態において、単位金額設定処理の実行が指令されると、ＲＯＭ２に記憶されたプログラムの制御により、ＣＰＵ１が図１０の流れ図に示す手順の単位金額設定処理を実行するものとなっている。
【００４８】
すなわちＣＰＵ１は、この単位金額設定処理を開始すると、先ず、ＳＴ４１としてオペレータ用表示器１１に単位金額設定画面７０を表示させる。単位金額設定画面７０の一構成例を図１１の模式図にて示す。この単位金額設定画面７０には、釣銭として取扱われる貨幣の金種別に、単位金額入力欄７１が形成されている。この単位金額設定画面７０に対しては、キーボード９の特定キー、例えば小計キー２６を操作する毎に単位金額入力欄７１が順番に選択され、置数キー２１の操作により数値データが入力されると、選択された単位金額入力欄７１にその数値が単位金額として入力される。
【００４９】
そこでＣＰＵ１は、ＳＴ４２として金種別の単位金額が入力されるのを待機する。そして、いずれかの金種の単位金額が入力されたならば、ＣＰＵ１は、ＳＴ４３としてその単位金額を釣銭補充テーブル３３の当該金種に対応した単位金額エリアに上書きする（設定機能）。
【００５０】
その後、ＳＴ４４として預／現計キー２７が操作入力されたことを検知すると、単位金額設定処理の終了が宣言されたので、ＣＰＵ１は、ＳＴ４５として釣銭補充テーブル３３に記憶された金種別単位金額のデータを含んだ単位金額設定レシートの印字データを編集する。そして、この印字データをレシート・ジャーナルプリンタ１５に出力して、レシート用紙及びジャーナル用紙に印刷させ、レシート用紙を単位金額設定レシートとして発行する。以上で、この単位金額設定処理を終了する。
【００５１】
このように構成された本実施の形態のＰＯＳ端末を使用するスーパーマーケット，コンビニエンスストア等の店においては、万券紙幣出金対応の自動釣銭機を接続するか否かを任意に選択することができる。はじめに、自動釣銭機を接続していない場合について、本発明に係る作用を説明する。
【００５２】
自動釣銭機が接続されていないＰＯＳ端末を操作する店員いわゆるキャッシャは、ドロワ７内に収容されている釣銭準備金が不足がちになったならば、客の居ないときを見計らって釣銭補充キー２９を操作する。そうすると、オペレータ用表示器１１に図６に示す内容の釣銭補充画面４０が表示されるので、補充する金種毎に、その金種のブロック単位の補充数を入力する。
【００５３】
例えば１円硬貨の棒金を１０本（５００枚）と、５００円硬貨の棒金を１本（５０枚）と、１０００円紙幣の束を５束（５０枚）とを補充する必要があるとすると、図７に示すように、金種「￥１」に対応する補充数入力欄に「１０」を入力し、金種「￥５００」（単位金額：本×２５，０００）に対応する補充数入力欄に「１」を入力し、金種「￥１，０００」に対応する補充数入力欄に「５」を入力する。
【００５４】
そうすると、１円硬貨の補充金額５００円と、５００円硬貨の補充金額２５０００円と、１０００円紙幣の補充金額５００００円がそれぞれ算出され、さらにその合計金額７５５００円が算出される。そして、図７に示すように、釣銭補充画面４０の金種別補充金額表示欄４２と合計金額表示欄４３にこれらの計算値が表示される。
【００５５】
次にキャッシャは、預／現計キー２７を操作する。このとき、ドロワ７内の在高が補充貨幣合計金額７５５００円以上であったとすると、レシート・ジャーナルプリンタ１５が動作して、図９に示す内容の釣銭補充指示票６０が印字発行される。また、ドロワ７が開放動作する。
【００５６】
釣銭補充指示票６０の一発行例を図９に示す。図示するように、釣銭補充指示票６０には、釣銭として取扱う金種毎の補充数と、その単位金額と、金種別の補充金額とその合計金額とが印字されている。また、釣銭補充キー２９が操作された際にサインオンしている責任者名と、そのときの時計部４のデータである日付及び時刻も印字されている。
【００５７】
なお、釣銭補充指示票６０は同一内容のものを２枚発行する。そして、一方をレジ側の控え用とし、他方を管理事務所への提出用とする。因みに、電子ジャーナル対応のＰＯＳ端末の場合は、釣銭補充指示票６０のデータをジャーナル用紙に印字するのでなく、電子化して電子ジャーナルファイルに保存すればよい。
【００５８】
そこでキャッシャは、釣銭補充指示票６０に印刷されている補充貨幣合計金額７５５００円に相当する貨幣をドロワ７から回収する。そして、この回収した貨幣と釣銭補充指示票６０を持って管理事務所等に行き、釣銭補充指示票６０に印刷されている金種別補充数に従い、貨幣の両替を行う。すなわち、１円硬貨の棒金１０本と、５００円硬貨の棒金１本と、１０００円紙幣の札束５束とに両替をする。その後、会計場所に戻り、両替された貨幣をドロワ７内に金種別に収容する。
【００５９】
一方、自動釣銭機が接続されているＰＯＳ端末を操作する店員いわゆるキャッシャは、自動釣銭機からの情報により釣銭機の金庫内に収容されている釣銭準備金が不足がちになったことを確認したならば、客の居ないときを見計らって釣銭補充キー２９を操作する。そうすると、オペレータ用表示器１１に図８に示す内容の釣銭補充画面５０が表示されるので、補充する金種毎にブロック単位の補充数を入力する。そして、入力を終えたならば、預／現計キー２７を操作する。
【００６０】
そうすると、補充貨幣合計金額Ａが、ドロワ７内の在高と自動釣銭機の金庫内の残高とを合算した上限金額以下の場合には、自動釣銭機に対して補充貨幣合計金額Ａの払出しが指令される。この場合において、補充貨幣合計金額Ａが自動釣銭機に収容されている全万券の合計金額以下の場合には、補充貨幣合計金額Ａに相当する金銭払出データが自動釣銭機に送信される。これにより、補充貨幣合計金額Ａに相当する貨幣が全て自動釣銭機から払い出される。また、釣銭機が接続されていない場合と同様に釣銭補充指示票６０が発行される。そこでキャッシャは、自動釣銭機から払い出された貨幣と釣銭補充指示票６０を持って管理事務所等に行き、釣銭補充指示票６０に印刷されている金種別補充数に従い、貨幣の両替を行う。その後、会計場所に戻り、両替された貨幣を自動釣銭機の投入口から投入する。
【００６１】
なお、補充貨幣合計金額Ａが自動釣銭機に収容されている全万券の合計金額未満の場合には、自動釣銭機に収容されている全万券の合計金額に相当する金銭払出データが自動釣銭機に送信され、この合計金額に相当する貨幣、つまりは自動釣銭機に収容されている全ての万券（１００００円紙幣）が払い出される。また、ドロワ７が開放動作する。この場合も、釣銭補充指示票６０が発行される。そこでキャッシャは、自動釣銭機から払い出された貨幣とドロワ７から回収した残額分の貨幣とを持って管理事務所等に行き、釣銭補充指示票６０に印刷されている金種別補充数に従い、貨幣の両替を行う。その後、会計場所に戻り、両替された貨幣を自動釣銭機の投入口から投入する。
【００６２】
このように本実施の形態によれば、事前に指定の用紙に補充が必要な金種とその数を記入したり、出金金額を手計算したりする必要がないので、係員，いわゆるキャッシャの負担を大幅に軽減することができる。また、自動釣銭機を接続した場合には、出金金額に相当する貨幣をドロワ７から揃える手間も軽減できる。
【００６３】
しかも、オペレータ用表示器１１に表示される釣銭補充画面４０または５０の内容に従い、補充が必要な金種毎に補充数を入力するだけでよいので、操作が簡単であり短時間で処理することができる。また、自動釣銭機が接続されている場合には、自動釣銭機に収容されている現時点の金種別残り枚数が釣銭補充画面５０に表示されるので、係員は、残り枚数が少ない貨幣を確認しながら補充数を入力することができ、ミスが無くなる。
【００６４】
なお、この発明は前記実施形態そのままに限定されるものではなく、実施段階ではその要旨を逸脱しない範囲で構成要素を変形して具体化できる。
【００６５】
例えば、前記実施の形態では、釣銭補充テーブル３３において、金種別に単位金額を記憶するようにしたが、単位金額の代わりに１ブロック単位の貨幣枚数（単位枚数）を記憶するようにしても、金種別の補充金額は［単位枚数×金種の金額×補充数］で算出されるので、同様な効果を奏することができる。この場合、図１０に示した単位金額設定処理は、単位金額の代わりに単位枚数を設定する単位枚数設定処理とすればよい。
【００６６】
また、前記実施の形態では、釣銭補充業務を登録モードの際に実行するようにしたが、登録モード以外の業務モード、例えば点検業務の際に実行するようにしてもよい。こうすることにより、点検業務の実行が許可されていないアルバイトなどの店員が釣銭補充業務を行えないように制限することができる。釣銭補充業務の宣言をキー以外の方法で行うようにしてもよい。
【００６７】
また、前記実施の形態では、プリンタとしてレシート・ジャーナルプリンタ１５を示したが、ジャーナル印字機能を省略したプリンタ，いわゆるレシートプリンタであってもよい。また、レシート用紙以外の用紙にデータを印字するプリンタを使用し、レシート用紙以外の用紙を用いて釣銭補充指示票を印字発行するものも本発明に含まれるものである。
【００６８】
また、本発明は、釣銭機インターフェイス１８を備えていないＰＯＳ端末や電子式キャッシュレジスタにも起用できるものである。この場合、図４の流れ図におけるＳＴ３の処理は省略される。また、釣銭機を常時接続し、ドロワ７を持たないＰＯＳ端末や電子式キャッシュレジスタにも適用することができる。この場合は、図４のＳＴ４〜ＳＴ１４の処理が省略される。また、図５のＳＴ３３，３４の処理も省略される。
【００６９】
また、前記実施の形態では、装置内部に発明を実施するプログラムが予め記録されているものとして説明をしたが、これに限らず同様のプログラムをネットワークから装置にダウンロードしても良いし、同様のプログラムを記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００７０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００７１】
【図１】本発明の一実施の形態であるＰＯＳ端末の要部構成を示すブロック図。
【図２】同実施の形態におけるＰＯＳ端末のキーボードに設けられるキー構成を示す模式図。
【図３】同実施の形態におけるＰＯＳ端末のＲＡＭに形成される主要なメモリエリアを示す模式図。
【図４】同実施の形態におけるＰＯＳ端末のＣＰＵが実行する釣銭補充処理の要部手順を示す流れ図。
【図５】図４に示す釣銭補充処理の釣銭機接続有り判定後の処理の要部手順を示す流れ図。
【図６】同実施の形態においてオペレータ用表示器に表示される釣銭機未接続時の釣銭補充画面の一構成例を示す模式図。
【図７】釣銭機未接続時の釣銭補充画面におけるデータ入力後の一例を示す模式図。
【図８】同実施の形態においてオペレータ用表示器に表示される釣銭機接続時の釣銭補充画面の一構成例を示す模式図。
【図９】同実施の形態において印字発行される釣銭補充レシートの一発行例を示す模式図。
【図１０】同実施の形態におけるＰＯＳ端末のＣＰＵが実行する単位金額設定処理の要部手順を示す流れ図。
【図１１】同実施の形態においてオペレータ用表示器に表示される単位金額設定画面の一構成例を示す模式図。
【符号の説明】
【００７２】
１…ＣＰＵ、２…ＲＯＭ、３…ＲＡＭ、４…時計部、７…ドロワ、９…キーボード、１１…オペレータ用表示器、１３…客用表示器、１５…レシート・ジャーナルプリンタ、１８…釣銭機インターフェイス、２９…釣銭補充キー、３１…ドロワ内在高メモリ、３２…釣銭機残高メモリ、３３…釣銭補充テーブル。
【図１】
2007233945.tif 000003
【図２】
2007233945.tif 000004
【図３】
2007233945.tif 000005
【図４】
2007233945.tif 000006
【図５】
2007233945.tif 000007
【図６】
2007233945.tif 000008
【図７】
2007233945.tif 000009
【図８】
2007233945.tif 000010
【図９】
2007233945.tif 000011
【図１０】
2007233945.tif 000012
【図１１】
2007233945.tif 000013